(57)【要約】  本発明は、ユーザの部位に対応して区画したマットレスの異なる部位に配列された複数のクッション部材３０を装着または交換するためのベッドマットレスであって、収容部２０のための周壁１１を有する一つのマットレスフレーム１０と；前記収容部２０に装着されて前記マットレスフレーム１０と共に一つのマットレスボディーを形成する複数のクッション部材３０と；前記マットレスボディーの外側部を取り囲むパッドと；前記マットレスボディーの上下面５０、５０’を覆うように、外周縁部が前記側面パッドの上下端部とそれぞれ結束される外周部６０、６０’を有する上下カバーパッドと、を有するベッドマットレスを提供する。【選択図】図１
2010530764.tif 000002
【特許請求の範囲】
【請求項１】
収容部のための周壁を有する一つのマットレスフレームと；
前記収容部に装着されて前記マットレスフレームと共に一つのマットレスボディーを形成する一あるいは二列とした複数のクッション部材と；
前記マットレスボディーの外側部を取り囲む側面パッドと； 
前記マットレスボディーの上下面を覆うように、外周の端部が前記側面パッドの上下端部とそれぞれ結束される上下カバーパッドと、を有することを特徴とするマットレス。
【請求項２】
前記マットレスフレームの前記収容部を平行な一対の区分収容部に区画する一つの縦方向仕切り部をさらに有し、一つ以上のクッション部材が各々の前記区分収容部に配置されることを特徴とする請求項１に記載のマットレス。
【請求項３】
前記マットレスフレームの前記収容部を二つ以上の区分収容部に区画する一つあるいは二つ以上の横方向仕切り部をさらに有し、一つ以上のクッション部材が各々の前記区分収容部に配置されることを特徴とする請求項１に記載のマットレス。
【請求項４】
前記マットレスフレームの前記収容部を四つ以上の偶数個の区分収容部に区画する一つの縦方向仕切り部、および一つ以上の横方向仕切り部をさらに有し、一つ以上のクッション部材が各々の前記区分収容部に配置されることを特徴とする請求項１に記載のマットレス。
【請求項５】
前記マットレスボディーとその外周部の大きさが同一であり、前記マットレスボディーの下部に配置され、かつ、前記側面パッドにより前記マットレスボディーと共に覆われる一つの下部クッション部材をさらに有することを特徴とする請求項１に記載のマットレス。
【請求項６】
前記周壁および／または前記仕切り部が弾性スポンジ素材で一体に作られることを特徴とする請求項１〜５のいずれか一項に記載のマットレス。
【請求項７】
前記周壁および／または前記仕切り部が、隣接した弾性スポンジ素材のバー部材に相応する両端に、それらの両端が結合された弾性スポンジ素材のバー部材からなることを特徴とする請求項１〜５のいずれか一項に記載のマットレス。
【請求項８】
前記周壁および／または前記仕切り部がフレームベースに設けられた相応する孔に下部が固定された複数のスプリング構造体を有することを特徴とする請求項１〜５のいずれか一項に記載のマットレス。
【請求項９】
弾性スポンジ素材の一つのフレームおよび複数のスプリング構造体を有する前記周壁および／または前記仕切り部が互いに分離または隣接しながら前記フレーム部材内に収容されることを特徴とする請求項１〜５のいずれか一項に記載のマットレス。
【請求項１０】
前記下部クッション部材が一つ以上の縦または横方向仕切り部が備えるあるいは備えない一つのフレームおよび前記フレームの内部に取り囲まれた複数のクッション部材を有することを特徴とする請求項５に記載のマットレス。
【請求項１１】
前記マットレスフレームが前記フレームベースの底面に付着された一つのクロージングプレートをさらに有することを特徴とする請求項８に記載のマットレス。
【請求項１２】
前記スプリング構造体が、それらの中間部分または上端部で隣接するスプリング構造体に結束されることを特徴とする請求項８に記載のマットレス。
【請求項１３】
前記マットレスの要素の弾性が同一であることを特徴とする請求項１〜５のいずれか一項に記載のマットレス。
【請求項１４】
前記マットレス部材の要素の弾性が異なることを特徴とする請求項１〜５のいずれか一項に記載のマットレス。
【請求項１５】
前記クッション部材が、弾性スポンジ素材、筒状スプリング構造体、またはコイルスプリングもしくはポケットスプリングを用いたスプリング構造体から作られることを特徴とする請求項１〜５のいずれか一項に記載のマットレス。
【請求項１６】
前記クッション部材が一つの布製袋に収容されることを特徴とする請求項１５に記載のマットレス。
【請求項１７】
前記収容部が一列の二つないし九つの区分収容部に区画されることを特徴とする請求項１、３または５のいずれか一項に記載のマットレス。
【請求項１８】
前記収容部が二列の二つないし九つの区分収容部を有することを特徴とする請求項２、３または４のいずれか一項に記載のマットレス。
【請求項１９】
偶数の前記区分収容部を有することを特徴とする請求項１７に記載のマットレス。
【請求項２０】
奇数の前記区分収容部を有することを特徴とする請求項１７に記載のマットレス。
【請求項２１】
各列に偶数の前記区分収容部を有することを特徴とする請求項１８に記載のマットレス。
【請求項２２】
各列に奇数の前記区分収容部を有することを特徴とする請求項１８に記載のマットレス。
【請求項２３】
前記区分収容部の長さが同一であることを特徴とする請求項１９〜２２のいずれか一項に記載のマットレス。
【請求項２４】
前記区分収容部の長さが異なることを特徴とする請求項１９〜２２のいずれか一項に記載のマットレス。
【請求項２５】
一つ以上の対の前記区分収容部が中央の区分収容部の外側に順次設けられ、同一な対の前記区分収容部の長さが同一であることを特徴とする請求項２０〜２２のいずれか一項に記載のマットレス。
【請求項２６】
一つの中央の第１の区分収容部と第１の区分収容部の上下にある一対の第２の区分収容部との三つの区分収容部を有し、前記両第２の区分収容部内のクッション部材は弾性が同一であり、前記中央の第１の区分収容部内のクッション部材より弾性が強いことを特徴とする請求項２５に記載のマットレス。
【請求項２７】
前記第１の区分収容部の長さが前記第２の区分収容部の長さより短いことを特徴とする請求項２６に記載のマットレス。
【請求項２８】
前記第１の区分収容部内のクッション部材の弾性が前記第２の区分収容部内のクッション部材の弾性より弱いことを特徴とする請求項２６または２７に記載のマットレス。
【請求項２９】
一つの中央の第１の区分収容部と第１の区分収容部の上下にある一対の第２の区分収容部と、各々の第２の区分収容部の外側にある１列になった一対の第３の区分収容部である五つの区分収容部を有し、前記第２および第３の区分収容部内に各対のクッション部材は弾性が同一であり、前記第３の区分収容部内のクッション部材の弾性は前記第１および２の区分収容部内のクッション部材とは弾性が異なることを特徴とする請求項２５に記載のマットレス。
【請求項３０】
前記第１の区分収容部の長さが前記第２の区分収容部の長さより短く、前記第３の区分収容部の長さより長いことを特徴とする請求項２９に記載のマットレス。
【請求項３１】
前記第１の区分収容部内のクッション部材の弾性が前記第２の区分収容部内のクッション部材の弾性より弱く、前記両側の第３の区分収容部内のクッション部材の弾性が前記第２の区分収容部内のクッション部材の弾性より弱く、前記第１の区分収容部内のクッション部材の弾性より強いことを特徴とする請求項２９または３０に記載のマットレス。
【請求項３２】
一つの中央の第１の区分収容部と第１の区分収容部の上下に順次設けられた一列の三対の第２、３および４の区分収容部である七つの区分収容部を有し、前記第２ないし第４の区分収容部の各対内のクッション部材は弾性が同一であることを特徴とする請求項２５に記載のマットレス。
【請求項３３】
前記第１の区分収容部の長さが前記第２の区分収容部の長さより短く、前記第３の区分収容部の長さが前記第１の区分収容部の長さより短く、かつ、前記第４の区分収容部の長さが前記第２の区分収容部の長さより短いことを特徴とする請求項３２に記載のマットレス。
【請求項３４】
前記第１の区分収容部内のクッション部材の弾性が前記第２の区分収容部内のクッション部材の弾性より弱く、前記第３の区分収容部内のクッション部材の弾性が前記第１の区分収容部内のクッション部材の弾性より強いが、前記第２の区分収容部内のクッション部材の弾性より弱く、さらに、前記両側の第４の区分収容部内のクッション部材の弾性が前記第１および第３の区分収容部内のクッション部材の弾性より強いが、前記第２の区分収容部内のクッション部材の弾性より弱いことを特徴とする請求項３２または３３に記載のマットレス。
【請求項３５】
一つの中央の第１の区分収容部と第１の区分収容部の上下に順次設けられた一列の四対の第２、第３、第４および第５の区分収容部である九つの区分収容部を有し、前記第２ないし第５の区分収容部の各対内のクッション部材は弾性が同一であることを特徴とする請求項２５に記載のマットレス。
【請求項３６】
前記第１の区分収容部の長さが前記第２の区分収容部の長さより短く、前記第３の区分収容部の長さが前記第１の区分収容部の長さより短いが、前記第５の区分収容部の長さとは同一であり、かつ、前記第４の区分収容部は前記第２の区分収容部よりその長さが短いことを特徴とする請求項３５に記載のマットレス。
【請求項３７】
前記第１の区分収容部内のクッション部材の弾性が前記第２の区分収容部内のクッション部材の弾性より弱く、前記第３の区分収容部内のクッション部材の弾性が前記第１の区分収容部内のクッション部材の弾性より強いが、前記第２の区分収容部内のクッション部材の弾性より弱く、前記両側の第４の区分収容部内のクッション部材の弾性が前記第１および第３の区分収容部内のクッション部材の弾性より強いが、前記第２の区分収容部内のクッション部材の弾性より弱く、さらに、前記両側の第５の区分収容部内のクッション部材の弾性が前記第１および第３の区分収容部内のクッション部材の弾性より強いが、前記第２および第４の区分収容部内のクッション部材の弾性より弱いことを特徴とする請求項３５または３６に記載のマットレス。
【請求項３８】
一つ以上の左側クッション部材の弾性が隣接する右側クッション部材の弾性とは異なることを特徴とする請求項１、２または４に記載のマットレス。
【請求項３９】
コイルスプリングもしくはポケットスプリングを有する一つのスプリング構造体または一つの弾性スポンジ素材で作られ、前記マットレスボディーの上および／または底に配置される一つまたは二つの補助クッション部材を有することを特徴とする請求項１〜５のいずれか一項に記載のマットレス。
【請求項４０】
前記下部マットレス部材がコイルスプリングもしくはポケットスプリングで作られた一つのスプリング構造体または一つの弾性スポンジ素材からなることを特徴とする請求項３９に記載のマットレス。
【請求項４１】
前記マットレスボディーと前記下部クッション部材との間に配置された一つの隔離シートパッドを有することを特徴とする請求項５または３９に記載のマットレス。
【請求項４２】
前記マットレスフレームがその底に付着された一つの底シートを有することを特徴とする請求項５に記載のマットレス。
【請求項４３】
前記下部クッション部材が前記マットレスボディーより弾性が強いことを特徴とする請求項５または３９に記載のマットレス。
【請求項４４】
一つのファスナーが前記側面パッドと前記上部カバーパッドを分離できるように結束するように設けられることを特徴とする請求項１〜５のいずれか一項に記載のマットレス。
【請求項４５】
一つのファスナーが前記側面パッドと前記下部カバーパッドを分離できるように結束するように設けられることを特徴とする請求項４４に記載のマットレス。
【発明の詳細な説明】
【技術分野】
【０００１】
本発明はマットレス、詳しくは弾性の異なる複数のクッション部材をフレームの内部に装着し、ユーザの身体の部位別に適合するクッション部材を選択的に装着または交替できるマットレスに関する。
【背景技術】
【０００２】
従来のベッドマットレスは、用いられた材料によってその弾性が異なるクッション部材が、その弾性がなくなったり、側面パッドや上下カバーパッドなどのアクセサリーが全体的あるいは部分的に損傷、汚染または脱色される場合に修理しないでマットレス自体を廃棄することが少なくなかった。それは、クッション部材とアクセサリーのようなマットレスの全ての部分が単一体として作られるので、マットレスの一つの部分または複数の部分だけを修理することが容易でなかったからである。
【０００３】
また、従来のマットレスは、全体領域に亘って殆ど同一な弾性を有するように製作されているので、人体の重い部位か軽い部位かによって押さえられる程度が異なり、ユーザが横たわった際に、マットレスおよびクッション部材は人体の各部位の重みで押さえられるが、人体の重みによりマットレスがなす曲線は、人体の輪郭と同一ではないので、胴体や尻に比べて幅が狭く、くびれる首や腰等はマットレスの表面との接触ないしは支持されず、マットレスから離れた状態となる。そのため、マットレスの上に横になっても、その部位の筋肉が緊張してユーザが安楽な姿勢で横になることができないという問題点もあった。
【０００４】
従来の前記のような問題点を解決するためのマットレスとして、特許文献１には、人体の各部位と接触する部分に沿って、マットレスを複数の部分に区画して、各部分別に弾性が異なるスプリング体を配列したクッション部材を有するマットレスが開示されている。
【０００５】
しかし、前記マットレスは単一体で製作されるので、損傷した場合、部分的な修理または一つもしくは複数の部分の交換が難しく、さらに不可能な場合もあるので、マットレスの全体を換えらなければならない問題点を解決できなかった。また、ダブルベッドの場合には、スプリング構造体の各部分別弾性を異ならせることだけでは男女の身体的な差を考慮したクッション部材の提供が難しかった。
【先行技術文献】
【特許文献】
【０００６】
【特許文献１】韓国実用新案登録第３３７２３２号
【発明の概要】
【発明が解決しようとする課題】
【０００７】
本発明は、前記のような従来のマットレスの問題点などを勘案してなされたものであり、その目的は安楽な睡眠のためにユーザの部位に対応して区画したマットレスの異なる部位に配列された複数のクッション部材を装着または交換するとともに、年齢、性別、身長および体重を考慮してユーザの身体の対応部位に適合する弾性を有することができるマットレスを提供することである。
【０００８】
本発明の他の目的は、ユーザがクッション部材の汚染または損傷された部分を簡単に分離させて選択または交替できるようにすることによって、マットレスの使用期間の短縮を防ぎ、それによる費用低減が可能なマットレスを提供することである。
【課題を解決するための手段】
【０００９】
本発明の一つの局面によれば、マットレスは、収容部のための周壁を有する一つのマットレスフレームと；
前記収容部に装着されて前記マットレスフレームと共に一つのマットレスボディーを形成する複数のクッション部材と；
前記マットレスボディーの外側部を取り囲む側面パッドと；
前記マットレスボディーの上下面を覆うように、外周の端部が前記側面パッドの上下端部とそれぞれ結束される外周部を有する上下カバーパッドと、を有する。
【００１０】
本発明の他の一つの局面によれば、前記マットレスフレームは、前記収容部を平行な一対の区分収容部に区画する一つの縦方向仕切り部を有する。
【００１１】
本発明のさらに他の一つの局面によれば、前記マットレスは、一つ以上の仕切り部を有するあるいは有しないマットレスフレームと前記複数のクッション部材とで構成されるマットレスボディーの下部に、マットレスボディーの外周部と同一な大きさの一つの下部クッション部材をさらに有する。
【発明の効果】
【００１２】
このような本発明によるマットレスのクッション部材は、ユーザの身体的な条件や好みに合わせるように身体部位に沿って、互いに異なる弾性を有するように選択することができる。
【００１３】
また、本発明によるマットレスは、クッション部材、側面パッドおよび上下のカバーパッドなどの部分を修理または交替のために分離できるので、マットレスの寿命を延長することが可能である。
【図面の簡単な説明】
【００１４】
【図１】図１は、本発明の第１の実施の形態によるマットレスの分解斜視図である。
【図２】図２は、図１のマットレスの側断面図である。
【図３】図３は、図２のマットレスの上部カバーパッドと補助クッション部材との結合体の側断面図ある。
【図４】図４は、図１のマットレスに使用されたクッション部材の他の例の側断面図である。
【図５】図５は、本発明の第２の実施の形態によるマットレスの分解斜視図である。
【図６】図６は、図５のマットレスの一部を切り取った正断面図である。
【図７】図７は、本発明の第３の実施の形態によるマットレスの分解斜視図である。
【図８】図８は、図７のマットレスの拡大側断面図である。
【図９】図９は、図７のマットレスの一つの変形例のマットレスの拡大側断面図である。
【図１０】図１０は、図７のマットレスの他の一つの変形例のマットレスの拡大側断面図である。
【図１１】図１１は、本発明の第４の実施の形態によるマットレスの分解斜視図である。
【図１２】図１２は、本発明の第５の実施の形態によるマットレスの分解斜視図である。
【図１３】図１３は、図１２のマットレスの拡大側断面図である。
【図１４】図１４は、本発明の第１の実施の形態によるマットレスの収容部を上下側に分割したことを示すマットレスの側断面図である。
【図１５】図１５は、本発明の第１の実施の形態によるマットレスの収容部を上下側に４分割した変形例の側断面図である。
【図１６】図１６は、本発明の第１の実施の形態によるマットレスの収容部を６分割した変形例のマットレスの側断面図である。
【図１７】図１７は、本発明の第１の実施の形態によるマットレスの収容部を８分割した変形例のマットレスの側断面図である。
【図１８】図１８は、本発明の第３の実施の形態によるマットレスの収容部を９分割した変形例のマットレスの側断面図である。
【図１９】図１９は、本発明のマットレスに使用される周壁及び仕切り部の他の例の部分断面図である。
【図２０】図２０は、本発明のマットレスに使用される周壁及び仕切り部の他の例の部分断面図である。
【図２１】図２１は、本発明のマットレスに使用される周壁及び仕切り部の他の例の部分断面図である。
【図２２】図２２は、本発明の第４の実施の形態のマットレスボディーの一部分解斜視図である。
【図２３】図２３は、図２２のマットレスボディーの部分側面図である。
【発明を実施するための形態】
【００１５】
以下、本発明を添付の図面を参照しながら、詳細に説明する。
【００１６】
図１は本発明の第１の実施の形態によるマットレスの分解斜視図であり、図２は図１のマットレスの側断面図であり、図３は図２のマットレスの上部カバーパッドと補助クッション部材との結合体の側断面図であり、図４は図１のマットレスに使用されたクッション部材の他の例の側断面図である。
【００１７】
本発明の第１の実施の形態によるマットレスは弾性体であるウレタンフォームで成形された長方型周壁（周部）１１で構成され、一つの収容部２０を有する一つのマットレスフレーム１０と、前記収容部に二列で配置されてフレーム１０と一つのマットレスボディーを構成する六つのクッション部材３０と、マットレスボディーの上あるいは下に設置され、平らなウレタンフォーム３３と布製袋３２で作られた一対の補助クッション部材３０と、前記マットレスボディーの外側部（外周部）を取り囲む一つの側面パッド４０と、一対の補助クッション部材３０を各々覆い、外周縁部がそれぞれ一つのファスナー６０、６０’によって側面パッド４０の上下端部と結束される一体の上下部カバーパッド５０、５０’とを含んで構成される。
【００１８】
前記クッション部材３０は、ファスナー６０ａによって開閉される六面体の布製袋３２に配置されて収容された複数のコイルスプリング３１を縦横に連結して構成されたスプリング構造体であり、補助クッション部材３０はファスナー６０ａによって開閉される保護シートパッド５１によって上下部カバーパッド５０、５０’と結合され(図２参照)る。布製袋３２’は省略でき、補助クッション部材３０は使用しなくてもよいし、マットレスボディーの上部だけに配置することもできる。
【００１９】
フレーム１０の長方型周壁１１は、単一体として作るか、あるいは、四つのバー部材を用意して各々のバー部材の両端部を他のバー部材の相応する端部と接着して作ることができるが、後者の場合は別の接着工程が必要であるとともに、長期間の使用時には接着不良または重い荷重により接着端部が破損される恐れがあるので、単一体とすることが望ましく、その角部や接着部をより厚くまたは堅固に形成することがさらに望ましい。
【００２０】
そして、収容部２０に２列で配置された六つのクッション部材３０は、その外側部が周壁１１の互いに対応する内壁面さらに隣接するクッション部材の外側部と接触して密着収容されるので、従来の一つの単一クッション部材のように機能し、上述のように、クッション部材３０を必要によって互いに異なる弾性にすることが可能であるとともに、補助クッション部材３０も部分別に異なる弾性を有することができる。
【００２１】
図１、２では六つのクッション部材３０が二列として示されているが、必要に応じて四ないし十八個のクッション部材３０を二列で配置することもできる。
【００２２】
例えば、男性と女性、夫婦または成人と子供とのためのダブルベッドの場合、収容部２０の一端側に配置されるクッション部材３０はその弾性を他端側のクッション部材より弱くしたり、その幅を狭くすることが望ましい。
【００２３】
上記形態例では、スプリング構造体はコイルスプリング３１を用いることが示されているが、クッション部材３０の材料はそれに限らず図４のように、コイルスプリングの代わりにファスナー６０ｂを備えているポケットスプリング３１を使用することもできる。
【００２４】
また、クッション部材３０はフレームと同じようにウレタンフォームのような弾性スポンジで作ることができ、補助クッション部材３０’はクッション部材と同一な材料を用いたり、天然ゴム、人造ゴム等他の類似なものを使用できる。
【００２５】
図５、６は本発明の第２の実施の形態のマットレスの分解斜視図および正断面図であって、収容部２０を２つの平行する区分収容部２０’に分割する一つの仕切り部２１がマットレスフレーム１０と同一な材質でマットレスフレーム１０内に設けられている。
【００２６】
図５、６のマットレスは特に、キングサイズベッドやダブルベッドに使用することに適合し、また、クッション部材３０が隣接クッション部材３０との接触面より相対的に堅い仕切り部２１壁面と接触することによって、その流動性が低くなってフレーム１０とクッション部材３０の結合体であるマットレスボディーが堅固に維持される。
【００２７】
仕切り部２１は、フレーム１０の周壁１１と同じ材質の部材を別途に作って、その両端部を周壁１１の内壁に接着してもよいが、周壁１１と単一体として形成することが望ましい。
【００２８】
なお、仕切り部２１によって分割された二つの区分収容部２０’に装着されるクッション部材３０の数とその弾性は、第１の実施の形態と同一であるので、詳細な説明は省略する。
【００２９】
図７は本発明の第３の実施の形態によるマットレスの分解斜視図であり、図８は図７のマットレスの拡大側断面図であり、図９、１０は各々図７のマットレスの変形例を示す拡大側断面図であって、周壁１１を有するマットレスフレーム１０と、フレーム１０内の収容部２０が二つ、四つまたは六つの仕切り部２１’によって三つ、五つまたは七つの部分収容部に分割された複数の区分収容部２０ａ、２０ｂ、２０ｃ、２０ｄと、各区分収容部に一つずつ設置された複数のクッション部材３０と、一対の補助クッション部材と、一つの側面パッド４０および一対の上下部カバーパッド５０、５０’とを有するマットレスが図示されている。収容部はマットレスの上下側に対して三つ、五つまたは七つの区分収容部に分割され、クッション部材３０は第１、第２の実施の形態と同じように構成され、側面パッドとカバーパッドはファスナー６０によって、第１、第２の実施の形態と同じように結束される。
【００３０】
収容部２０を複数に割った区分収容部は、その個数が二つから五つ、五つから七つに増加することによってその縦長さが減少するが、普通の使用者あるいは特定使用者の人体の各部分の重さと大きさを考慮して縦長さを異ならせ、弾性が異なるクッション部材３０を配置することが望ましい。
【００３１】
図７および図８のマットレスの場合、中央の第１の区分収容部２０ａの縦長さをその外側の第２の区分収容部２０ｂより短くし、第１の区分収容部２０ａに装着するクッション部材３０の弾性は第２の区分収容部２０ｂに装着するクッション部材より弱くすることが望ましい。
【００３２】
そして、図９の本発明の第３の実施の形態の一つの変形例のマットレスの場合、中央の第１の区分収容部２０ａは、その両側の第２の区分収容部２０ｂより縦長さを短くし、各外端側の第３の区分収容部２０ｃは第１の区分収容部２０ａより縦長さを短くし、第１の区分収容部２０ａに装着されるクッション部材３０の弾性は第２の区分収容部２０ｂのクッション部材より弱くし、第３の区分収容部２０ｃのクッション部材３０の弾性は第１の区分収容部２０ａのクッション部材３０より強く、第２の区分収容部２０ｂのクッション部材３０より弱くするのが尻、胴体と両脚、頭と両足に分れる身体的構造に適合することと確認された。
【００３３】
また、図１０の本発明の第３の実施の形態における他の変形例のマットレスの場合、中央の第１の区分収容部２０ａは、その両外側の第２の区分収容部２０ｂより縦長さを長くし、第２の区分収容部２０ｂの各外側の第３の区分収容部２０ｃは第１の区分収容部２０ａより縦長さを長くし、第３の区分収容部２０ｃの各外側の第４の区分収容部２０ｄは第２の区分収容部２０ｂより縦長さを短くし、第１の区分収容部２０ａに配置するクッション部材３０の弾性は第２の区分収容部２０ｂに装着するクッション部材３０より弱く、第３の区分収容部２０ｃに装着するクッション部材３０の弾性は第１の区分収容部２０ａのクッション部材３０より強いが、第２の区分収容部２０ｂに収容するクッション部材より弱く、第４の区分収容部２０ｄに収容するクッション部材の弾性は第１、第３の区分収容部２０ａ、２０ｃに装着するクッション部材より強いが、第２の区分収容部２０ｂに装着するクッション部材より弱い。
【００３４】
このようにすることは、弾性の同一なクッション部材３０で構成されたマットレスの上にユーザが横になる時、マットレスが押さえられてへこむ程度が人体の各部位の重さに比例しないので、マットレスにおいて部分別に弾性を異なるようにすることによって頭、胴体、尻および脚の部位はもちろん、これらの部位に比べて重さが軽く、幅が狭く、くびれる部位である首、腰、ひざや腕のひかがみなどを含む全ての部位が人体の曲線に沿ってマットレスのクッション部材に適切に接触されて支持されるようにすることによって、より安楽な睡眠ができるようにする。
【００３５】
すなわち、図１０のマットレスのように七つの区分収容部を有する場合は、第１の区分収容部２０ａに収容されるクッション部材３０の弾性は第２の区分収容部２０ｂに収容されるクッション部材より弱く、第３の区分収容部２０ｃのクッション部材の弾性は第１の区分収容部２０ａのクッション部材と同一にし、第４の区分収容部２０ｄのクッション部材の弾性は第１、第３の区分収容部２０a、２０ｃのクッション部材より強いが、第２の区分収容部２０ｂのクッション部材より弱く、つまり、それらが収容される第１、第３の区分収容部  ＜  第４の区分収容部  ＜  第２の区分収容部の順にすることが望ましい。
【００３６】
このような弾性の差は、ユーザがマットレスの上に横になると各区分収容部２０ａ、２０ｂ、２０ｃ、２０ｄに収容された各クッション部材３０はその弾性の強弱と相応する身体部位に沿ってへこむ程度に差があるようにする。尻が位置する中央の第１の区分収容部２０ａが最も多くへこみ、腰が位置する上側の第２の区分収容部２０ｂは最も少なくへこむ一方、胴体が位置する上側の第３の区分収容部２０ｃは第１の区分収容部２０ａより少ないが、頭が位置する上側の第４の区分収容部２０ｄより多く圧着され、足と脚が位置する下側の第２から４の区分収容部２０ｂ、２０ｃ、２０ｄは各々足と脚の各部位の重さに沿って押さえられる。
【００３７】
このように、各区分収容部などによりそれらのクッション部材３０の弾性を人体の各部位の重さに反比例するように形成することによってマットレスすなわち、クッション部材は人体の各部位の曲線に沿って押さえられると同時に人体を安楽に支えることになり、中央の第１の区分収容部２０ａを中心としてその両側に、各々外側に順に形成された各区分収容部２０ｂおよび２０ｂ、２０ｃおよび２０ｃ、２０ｄおよび２０ｄで互いに縦長さと弾性を同一にしたことは、ユーザが必要によってマットレスの上下位置を変えて使用することができるようにする。
【００３８】
図１１は、本発明の第４の実施の形態によるマットレスの分離斜視図であって、１つの縦方向仕切り部と２つの横方向仕切り部でマットレスフレーム１０内の収容部２０を左右各々三つ部分に割って六つの区分収容部２０ａ、２０ｂ、２０ｃとして作ったマットレスを示している。クッション部材３０は複数のコイルスプリング３１が布製袋３２に収容されて作られる。
【００３９】
図１１のマットレスは２人、特に夫婦のように性別が異なる２人用のキングサイズのベッドやダブルベッドにマットレスとして適合するものであって、身長や体重等の身体条件が異なる２人のユーザのために、左右に各々三つの区分収容部２０ａ、２０ｂ、２０ｃを配置して各区分収容部２０ａ、２０ｂ、２０ｃ別に互いに異なる弾性を有するクッション部材３０を左右に装着することができる。
【００４０】
さらに、各区分収容部２０ａ、２０ｂ、２０ｃの１つまたはそれ以上の縦長さを使用者の異なる身体的条件を考慮して異なるようにすることもできる。
【００４１】
図１２と図１３においてマットレスは、バー状の一つのウレタンフォームからなる部材の両端部を他のウレタンフォーム製部材の相応する端部と接着して形成された長方型周壁１１と、その周壁１１の内側にあるいは縦方向仕切り部の側面に、両端が接着された五つのウレタンフォーム製部材からなる縦方向と横方向の仕切り部２１、２１’によって区画された区分収容部２０ａ、２０ｂを備え、下面が底シートパッド５３によって閉鎖されたマットレスフレーム１０と；フレームと共にマットレスボディーを成すために六つの区分収容部２０ａ、２０ｂに各々装着されるクッション部材３０と；フレーム１０の下部に配置される下部クッション部材３０ａと；フレーム１０とクッション部材３０が結合されたマットレスボディーと下部クッション部材３０ａの結合体の外側部を囲む側面パッド４０と；側面パッドと上部カバーパッドを結束するファスナー６０を備え、マットレスボディーを覆う上部カバーパッド５０と；側面パッド４０の下端を縫うことによって結束され、マットレスボディーと下部クッション部材３０ａを側面パッド４０と共に収容する下部カバーパッド５０’とを含んで構成される。
【００４２】
下部クッション部材３０ａは、フレーム１０とクッション部材３０のマットレスボディーより厚くしたほうが望ましいが、同じ厚さにしてもよい。
【００４３】
クッション部材３０と下部クッション部材３０ａは、ウレタンフォーム３３または３３’’が各々の布製袋３２または３２’’の内に満たされてファスナー６０ｂまたは６０ｅで封ずることによって作られたものであるが、これと異なって、上述したスプリング構造体を使用することもできる。
【００４４】
フレーム１０と下部クッション部材３０ａとの間に介在された隔離シートパッド５２は、その外周の端部と側面パッド４０の内周面に付設したファスナー６０ｃで結束または分離することができる。また、側面パッド４０の下端とカバーパッド５０’の下端が囲む裁縫によって結束されたので、下部クッション部材３０ａを側面パッドと下部カバーパッドにより形成される内部空間に入れることやそこから取り出すことができる。
【００４５】
底シートパッド５３は、各区分収容部２０ａ、２０ｂに収容されたクッション部材３０が下部に離脱されないようにするものであるので、必須的な構成要素ではない。
【００４６】
下部クッション部材３０ａの弾性はクッション部材３０より強い方が望ましく、各クッション部材の弾性は第１の実施の形態のマットレスについて説明したように、各区分収容部２０ａ、２０ｂによって互いに異なるようにするのが望ましい。区分収容部２０ａ、２０ｂの左右位置によってその縦長さとそこに収容されるクッション部材３０の弾性を異なるようにするのは第４の実施の形態のマットレスについて説明した通りである。
【００４７】
また、先行する形態のように、側面パッドと下部カバーパッドを一つのファスナーによって結束できるようにすることも可能である。
【００４８】
図１４から図１７は、収容部２０を偶数の二、四、六、八つの区分収容部に分割した本発明の第１の実施の形態における変形例のマットレスの側断面図である。各区分収容部の縦長さを人体の相応する部位のサイズに合わせるように定めたマットレスを示しており、各構成部分の構成と作用は第１から第３の実施の形態と同一であるので、詳細な説明は省略する。
【００４９】
マットレスの各区分収容部の縦長さは図１４から図１７と異なるようにすることもできるし、上述した第２の実施の形態から第４の実施の形態のマットレスのように上下側を変えて使用することより上面と底面が変わるように裏返して使用することもできる。
【００５０】
図１８は収容部を９つの区分収容部に分割した、本発明の第３の実施の形態によるマットレスの変形例の側断面図であって、ユーザの必要によりまたは身長が極めて高いユーザに適合するマットレスを例示したものである。そのマットレスは中央の第１の区分収容部２０ａを基準としてその上側に続いて形成される第２の区分収容部２０ｂ、第３の区分収容部２０ｃ、第４の区分収容部２０ｄ、第５の区分収容部２０ｅを有する。それらの区分収容部の縦長さは人体の該当部位、すなわち、尻、腰、背中、首、頭の大きさを考慮して決定し、下側の区分収容部２０ｂ、２０ｃ、２０ｄ、２０ｅの縦長さはそれと対応する上側の区分収容部と同一にすることができる。
【００５１】
上述した本発明の実施の形態のフレーム１０の周壁１１は従来のマットレスと同じか弱い弾性を有しながら、長期間の使用でも原型を維持することができる堅固性を有しなければならないことについて、仕切り部２１、２１’はクッション部材３０の最も弱い弾性と同じか弱い弾性とすることによって、ユーザがマットレスの上に横になる時、人体の各部位別にクッション部材３０が押さえられる程度を仕切り部２１、２１’が妨げないようにするのが望ましい。ただし、長時間の使用によって変形されない堅固度を有しなければならないことは周壁１１の場合と同じである。
【００５２】
上述の本発明の実施の形態とは異なり、フレーム１０を図１９のようにウレタンフォーム１０ａに一定な間隔に形成された垂直結合孔１０ｂにポケットスプリング１０ｃを各々結合したり、図２０のようにポケットスプリングをウレタンフォーム１０ａ内に間隔を置いて収容させて一体に形成したり、図２１のように前記ウレタンフォーム１０ａの内部に列をなして連結された複数のポケットスプリングを収容させて一体に形成してもよく、ポケットスプリングは一般のコイルスプリングに代替することもできる。
【００５３】
一方、適合する弾性を有する限り、ウレタンフォーム以外のそれと類似なスポンジ部材でもクッション部材を作る弾性体として使用することができる。
【００５４】
図２２、図２３は、マットレスフレーム１０とクッション部材３０からなる本発明の第４の実施の形態(図１１参照)におけるマットレスの変形例のマットレスボディーの一部分解斜視図および部分側面図である。そのフレーム１０はウレタンフォームで作られ、多数の結合孔１０ｂが連続して形成された受け取り板材(base plate)１２と、第１、第２の区分収容部２０ａ、２０ｂを区画する周壁１１および仕切り部２１、２１’と、結合孔１０ｂに下部が固定されたポケットスプリング１０ｃと、受け取り板材１２の底面に付着されプラスチック板からなる補助板(bottom plate)１３とを含んで構成される。また、クッション部材３０は上の区分収容部２０ａ、２０ｂに設置される。
【００５５】
図２２、図２３において、各結合孔１０ｂが補助板材１３によって閉じられているので、ポケットスプリング１０ｃが受け取り板材１２の下に突出しない状態で結合孔１０ｂに固定されているが、たとえば、厚い受け取り板材１２を使用して底面が閉じられた結合孔１０ｂを形成することもできる。
【００５６】
また、隣接したポケットスプリング１０ｃを中間部分や上端部を互いに固定した結合体とすることによって、マットレスのクッション部材３０がユーザの体重により押さえられる時、周壁と仕切り部が区分収容部の両側に押されないようにして、フレームの機能を十分に行うようにすることが望ましい。
【００５７】
さらに、他の形態例に対して上で説明した周壁と仕切り部の弾性と堅固度は図２２、図２３のマットレスにも適用される。
【００５８】
上記形態例ではフレーム１０の仕切り部２１、２１’の高さは説明したように周壁１１と同一の高さにすることできるが、周壁１１の高さより低くすることもできるし、例えば、周壁１１の高さの１／２や、それ以上にしてその弾性を周壁１１より弱くすることもできる。
【００５９】
さらに、クッション部材３０は各区分収容部に沿って弾性を異なるようにすること以外に、一つのクッション部材または二つ以上の隣接クッション部材の集合体の周縁部の高さを隣接クッション部材と同一あるいは略同一にし、中央に向かうほど低くしたり高くすることで、溝や突出部が設けられるようにすることができる。また、各区分収容部に複数のクッション部材を配置することもできる。
【００６０】
本発明の望ましい形態について例示のために説明したが、この発明の分野で通常の知識を有する者であれば、上述したこと以外にも本発明の思想の範囲内で種々の変形、変更および代替が可能であろう。また、本発明の保護範囲は上記形態例および説明に限定されず、添付した特許請求の範囲によってのみ制限される。
【図１】
2010530764.tif 000003
【図２】
2010530764.tif 000004
【図３】
2010530764.tif 000005
【図４】
2010530764.tif 000006
【図５】
2010530764.tif 000007
【図６】
2010530764.tif 000008
【図７】
2010530764.tif 000009
【図８】
2010530764.tif 000010
【図９】
2010530764.tif 000011
【図１０】
2010530764.tif 000012
【図１１】
2010530764.tif 000013
【図１２】
2010530764.tif 000014
【図１３】
2010530764.tif 000015
【図１４】
2010530764.tif 000016
【図１５】
2010530764.tif 000017
【図１６】
2010530764.tif 000018
【図１７】
2010530764.tif 000019
【図１８】
2010530764.tif 000020
【図１９】
2010530764.tif 000021
【図２０】
2010530764.tif 000022
【図２１】
2010530764.tif 000023
【図２２】
2010530764.tif 000024
【図２３】
2010530764.tif 000025
【手続補正書】
【提出日】平成21年2月9日(2009.2.9)
【手続補正１】
【補正対象書類名】特許請求の範囲
【補正対象項目名】全文
【補正方法】変更
【補正の内容】
【特許請求の範囲】
【請求項１】
一つの中央の第１の区分収容部と当該第１の中央の区分収容部の外側に設けられた一列または二列になった一対の第２の区分収容部である三つの区分収容部を形成するための弾性素材からなる少なくとも二つの横仕切り部を有し、一つの縦仕切り部を有するあるいは有さない一つの周壁を有する一つのマットレスフレームと；
各々の前記区分収容部に配置され、前記マットレスフレームと共に一つのマットレスボディーを形成する一つ以上のクッション部材と；
前記マットレスボディーの外側部を取り囲む側面パッドと； 
前記マットレスボディーの上下面を覆うように、外周の端部が前記側面パッドの上下端部とそれぞれ結束される上下カバーパッドと、を有するマットレスであって、
前記両側の第２の区分収容部内のクッション部材の弾性が同一であるが、中央の前記第１の区分収容部内のクッション部材より弾性が強いことを特徴とするマットレス。
【請求項２】
前記マットレスボディーとその外周部の大きさが同一であり、前記マットレスボディーの下部に配置され、かつ、前記側面パッドにより前記マットレスボディーと共に覆われる一つの下部クッション部材をさらに有することを特徴とする請求項１に記載のマットレス。
【請求項３】
前記周壁および／または前記仕切り部が弾性スポンジ素材で一体に作られることを特徴とする請求項１または２に記載のマットレス。
【請求項４】
前記周壁および／または前記仕切り部が、隣接した弾性スポンジ素材のバー部材に相応する両端に、それらの両端が結合された弾性スポンジ素材のバー部材からなることを特徴とする請求項１または２に記載のマットレス。
【請求項５】
前記周壁および／または前記仕切り部がフレームベースに設けられた相応する孔内に下部が固定された複数のスプリング構造体を有することを特徴とする請求項１または２に記載のマットレス。
【請求項６】
弾性スポンジ素材の一つのフレームおよび複数のスプリング構造体を有する前記周壁および／または前記仕切り部が互いに分離または隣接しながら前記フレーム部材内に収容されることを特徴とする請求項１または２に記載のマットレス。
【請求項７】
前記下部クッション部材が一つ以上の縦または横方向仕切り部が備えるあるいは備えない一つのフレームおよび前記フレームの内部に取り囲まれた複数のクッション部材を有することを特徴とする請求項２に記載のマットレス。
【請求項８】
前記マットレスフレームが前記フレームベースの底面に付着された一つのクロージングプレートをさらに有することを特徴とする請求項５に記載のマットレス。
【請求項９】
前記スプリング構造体が、それらの中間部分または上端部で隣接するスプリング構造体に結束されることを特徴とする請求項５に記載のマットレス。
【請求項１０】
前記クッション部材が、弾性スポンジ素材、筒状スプリング構造体、またはコイルスプリングもしくはポケットスプリングを用いたスプリング構造体から作られることを特徴とする請求項１または２に記載のマットレス。
【請求項１１】
前記クッション部材が一つの布製袋に収容されることを特徴とする請求項１０に記載のマットレス。
【請求項１２】
前記第１の区分収容部の長さが前記第２の区分収容部の長さより短く、前記第２の区分収容部の長さは同一であることを特徴とする請求項１に記載のマットレス。
【請求項１３】
前記第１の区分収容部内のクッション部材の長さが前記第２の区分収容部内のクッション部材の長さと同一であることを特徴とする請求項１に記載のマットレス。
【請求項１４】
各々の前記第２の区分収容部の外側にある一列または二列になった一対の第３の区分収容部を有し、前記第３の区分収容部内の各対のクッション部材は弾性が同一であり、前記第３の区分収容部内のクッション部材の弾性は前記第１および第２の区分収容部内のクッション部材とは弾性が異なることを特徴とする請求項１に記載のマットレス。
【請求項１５】
前記第３の区分収容部内のクッション部材の弾性が前記第２の区分収容部内のクッション部材の弾性より弱く、前記第１の区分収容部内のクッション部材の弾性より強いことを特徴とする請求項１４に記載のマットレス。
【請求項１６】
前記第１の区分収容部の長さが前記第２の区分収容部の長さより短く、前記第３の区分収容部の長さより長いことを特徴とする請求項１４または１５に記載のマットレス。
【請求項１７】
前記第３の区分収容部の上下に設けられた一列または二列となった一対の第４の区分収容部を有し、前記第４の区分収容部の各対内のクッション部材は弾性が同一であることを特徴とする請求項１４に記載のマットレス。
【請求項１８】
前記第１の区分収容部の長さが前記第２の区分収容部の長さより短く、前記第３の区分収容部の長さが前記第１の区分収容部の長さより短く、かつ、前記第４の区分収容部の長さが前記第２の区分収容部の長さより短いことを特徴とする請求項１７に記載のマットレス。
【請求項１９】
前記第１の区分収容部内のクッション部材の弾性が前記第２の区分収容部内のクッション部材の弾性より弱く、前記第３の区分収容部内のクッション部材の弾性が前記第１の区分収容部内のクッション部材の弾性より強いが、前記第２の区分収容部内のクッション部材の弾性より弱く、さらに、前記第４の区分収容部内のクッション部材の弾性が前記第１および第３の区分収容部内のクッション部材の弾性より強いが、前記第２の区分収容部内のクッション部材の弾性より弱いことを特徴とする請求項１７または１８に記載のマットレス。
【請求項２０】
前記第４の区分収容部の上下に設けられた一列または二列となった一対の第５の区分収容部をさらに有し、前記第５の区分収容部の各対内のクッション部材は弾性が同一であることを特徴とする請求項１７に記載のマットレス。
【請求項２１】
前記第１の区分収容部の長さが前記第２の区分収容部の長さより短く、前記第３の区分収容部の長さが前記第１の区分収容部の長さより短いが、前記第５の区分収容部の長さとは同一であり、かつ、前記第４の区分収容部は前記第２の区分収容部よりその長さが短いことを特徴とする請求項２０に記載のマットレス。
【請求項２２】
前記第１の区分収容部内のクッション部材の弾性が前記第２の区分収容部内のクッション部材の弾性より弱く、前記第３の区分収容部内のクッション部材の弾性が前記第１の区分収容部内のクッション部材の弾性より強いが、前記第２の区分収容部内のクッション部材の弾性より弱く、前記第４の区分収容部内のクッション部材の弾性が前記第１および第３の区分収容部内のクッション部材の弾性より強いが、前記第２の区分収容部内のクッション部材の弾性より弱く、さらに、前記第５の区分収容部内のクッション部材の弾性が前記第１および第３の区分収容部内のクッション部材の弾性より強いが、前記第２および第４の区分収容部内のクッション部材の弾性より弱いことを特徴とする請求項２０または２１に記載のマットレス。
【請求項２３】
一つ以上の左側クッション部材の弾性が隣接する右側クッション部材の弾性とは異なることを特徴とする請求項１に記載のマットレス。
【請求項２４】
コイルスプリングもしくはポケットスプリングを有する一つのスプリング構造体または一つの弾性スポンジ素材で作られ、前記マットレスボディーの上および／または底に配置される一つまたは二つの補助クッション部材を有することを特徴とする請求項１に記載のマットレス。
【請求項２５】
前記下部マットレス部材がコイルスプリングもしくはポケットスプリングで作られた一つのスプリング構造体または一つの弾性スポンジ素材からなることを特徴とする請求項２に記載のマットレス。
【請求項２６】
前記マットレスボディーと前記下部クッション部材との間に配置された一つの隔離シートパッドをさらに有することを特徴とする請求項２または２５に記載のマットレス。
【請求項２７】
前記マットレスフレームがその底に付着された一つの底シートを有することを特徴とする請求項２に記載のマットレス。
【請求項２８】
前記下部クッション部材が前記マットレスボディーより弾性が強いことを特徴とする請求項２または２５に記載のマットレス。
【請求項２９】
一つのファスナーが前記側面パッドと前記上部カバーパッドを分離できるように結束するように設けられることを特徴とする請求項１に記載のマットレス。
【請求項３０】
一つのファスナーが前記側面パッドと前記下部カバーパッドを分離できるように結束するように設けられることを特徴とする請求項１〜２９のいずれか一項に記載のマットレス。
【国際調査報告】
2010530764.tif 000026
2010530764.tif 000027
2010530764.tif 000028